【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
画像データに基づいて、フレームの特徴を数値化したフレーム特徴量を求めるフレーム特徴量生成部と、
該フレーム特徴量生成部に接続され、前記画像データのフレームと対応した形式で前記フレーム特徴量を記録する記録部とを備え、
前記フレーム特徴量生成部により、前記フレーム特徴量は、前記画像データに関連する動きベクトル情報の統計量により求められることを特徴とする、画像検索情報記録装置。
【請求項２】
前記画像データは符号化されたデータであり、
前記符号化されたデータから前記動きベクトル情報を読み出す読出部をさらに備え、
前記フレーム特徴量生成部は、前記読出部で読み出された前記動きベクトル情報に基づいて、前記フレーム特徴量を生成する、請求項１に記載の画像検索情報記録装置。
【請求項３】
前記統計量は、前記フレームの前および後の少なくとも一方のフレームに対して算出された複数の動きベクトルの長さの平均値である、請求項１または請求項２に記載の画像検索情報記録装置。
【請求項４】
画像データのフレームと対応した形式で記録されている、フレームの特徴を数値化したフレーム特徴量に基づいて、前記画像データ中の特徴フレームを決定し、前記フレーム特徴量よりも情報量が少ない情報であって、該特徴フレームの位置情報であるインデックス情報を生成するインデックス情報生成部と、
前記インデックス情報生成部に接続され、前記インデックス情報を受け取り、前記インデックス情報で指定されたインデックス画像を出力する出力部とを備え、
前記フレーム特徴量は、画像の伝送、記録、符号化に係る関連データを含む画像データを解析して求められることを特徴とする、画像検索装置。
【請求項５】
前記出力部は、さらに、外部からインデックス情報を受け取り、前記インデックス情報生成部で生成されたインデックス情報および前記外部から受け取ったインデックス情報の少なくとも一方で指定されたインデックス画像を出力する、請求項４に記載の画像検索装置。
【請求項６】
前記インデックス情報生成部は、
前記フレーム特徴量を受け取り、前記フレーム特徴量を所定のしきい値と比較することで前記特徴フレームを決定するフレーム決定部と、
前記フレーム決定部に接続され、前記特徴フレームの位置情報であるインデックス情報を生成するインデックス生成部とを含み、
前記インデックス情報は、前記しきい値の設定を検索の過程で変えることにより適応的に変えられる情報である、請求項４または請求項５に記載の画像検索装置。
【請求項７】
前記フレーム特徴量は、前記フレームが所定のサイズで分割された複数のブロックのうち、符号化において使用した予測方式毎のブロックの総数により求められる値である、請求項４〜６のいずれかに記載の画像検索装置。
【手続補正２】
【補正対象書類名】明細書
【補正対象項目名】０００８
【補正方法】変更
【補正の内容】
【０００８】
【課題を解決するための手段】
本発明の請求項１によれば、画像データに基づいて、フレームの特徴を数値化したフレーム特徴量を求めるフレーム特徴量生成部と、フレーム特徴量生成部に接続され、画像データのフレームと対応した形式でフレーム特徴量を記録する記録部とを備え、フレーム特徴量生成部により、フレーム特徴量は、画像データに関連する動きベクトル情報の統計量により求められることにより、上記課題を解決する。
【手続補正３】
【補正対象書類名】明細書
【補正対象項目名】０００９
【補正方法】変更
【補正の内容】
【０００９】
本発明の請求項２によれば、画像データは符号化されたデータであり、符号化されたデータから動きベクトル情報を読み出す読出部をさらに備え、フレーム特徴量生成部は、読出部で読み出された動きベクトル情報に基づいて、フレーム特徴量を生成することにより、上記課題を解決する。
【手続補正４】
【補正対象書類名】明細書
【補正対象項目名】００１０
【補正方法】変更
【補正の内容】
【００１０】
本発明の請求項３によれば、統計量は、フレームの前および後の少なくとも一方のフレームに対して算出された複数の動きベクトルの長さの平均値であることにより上記課題を解決する。
【手続補正５】
【補正対象書類名】明細書
【補正対象項目名】００１１
【補正方法】変更
【補正の内容】
【００１１】
本発明の請求項４によれば、画像データのフレームと対応した形式で記録されている、フレームの特徴を数値化したフレーム特徴量に基づいて、画像データ中の特徴フレームを決定し、フレーム特徴量よりも情報量が少ない情報であって、特徴フレームの位置情報であるインデックス情報を生成するインデックス情報生成部と、
インデックス情報生成部に接続され、インデックス情報を受け取り、インデックス情報で指定されたインデックス画像を出力する出力部とを備え、
フレーム特徴量は、画像の伝送、記録、符号化に係る関連データを含む画像データを解析して求められることにより、上記課題を解決する。
【手続補正６】
【補正対象書類名】明細書
【補正対象項目名】００１２
【補正方法】変更
【補正の内容】
【００１２】
本発明の請求項５によれば、出力部は、さらに、外部からインデックス情報を受け取り、インデックス情報生成部で生成されたインデックス情報および外部から受け取ったインデックス情報の少なくとも一方で指定されたインデックス画像を出力することにより、上記課題を解決する。
【手続補正７】
【補正対象書類名】明細書
【補正対象項目名】００１３
【補正方法】変更
【補正の内容】
【００１３】
本発明の請求項６によれば、インデックス情報生成部は、フレーム特徴量を受け取り、フレーム特徴量を所定のしきい値と比較することで特徴フレームを決定するフレーム決定部と、フレーム決定部に接続され、特徴フレームの位置情報であるインデックス情報を生成するインデックス生成部とを含み、インデックス情報は、しきい値の設定を検索の過程で変えることにより適応的に変えられる情報であることにより、上記課題を解決する。
本発明の請求項７によれば、フレーム特徴量は、フレームが所定のサイズで分割された複数のブロックのうち、符号化において使用した予測方式毎のブロックの総数により求められる値であることにより、上記課題を解決する。
【手続補正８】
【補正対象書類名】明細書
【補正対象項目名】００６０
【補正方法】変更
【補正の内容】
【００６０】
【発明の効果】
本願請求項１に記載の発明に係る画像検索情報記録装置は、上述したような構成によって、特徴フレーム抽出に必要なフレーム特徴量を記録できることにより、様々な検索要求に対して、高速に検索処理を行うことができる。
【手続補正９】
【補正対象書類名】明細書
【補正対象項目名】００６１
【補正方法】変更
【補正の内容】
【００６１】
本願請求項２に記載の発明に係る画像検索情報記録装置は、上述したような構成によって、特徴フレーム抽出に必要なフレーム特徴量を記録できることにより、様々な検索要求に対して、高速に検索処理を行うことができる。
【手続補正１０】
【補正対象書類名】明細書
【補正対象項目名】００６３
【補正方法】変更
【補正の内容】
【００６３】
本願請求項４に記載の発明に係る画像検索装置は、上述したような構成によって、フレーム特徴量よりもデータ量の少ないインデックス情報を使用することで、画像の検索処理を高速に行なうことができる。
【手続補正１１】
【補正対象書類名】明細書
【補正対象項目名】００６４
【補正方法】変更
【補正の内容】
【００６４】
本願請求項５に記載の発明に係る画像検索装置は、上述したような構成によって、様々な検索要求に対して、高速に検索処理を行うことができる。
【手続補正１２】
【補正対象書類名】明細書
【補正対象項目名】００６５
【補正方法】変更
【補正の内容】
【００６５】
本願請求項６に記載の発明に係る画像検索装置は、上述したような構成によって、様々な検索要求に対して、柔軟な画像検索を行うことができる。
本願請求項７に記載の発明に係る画像検索装置は、上述したような構成によって、画像の検索処理を高速に行なうことができる。